(57)【要約】【課題】  パソコン等で作成し印刷した文書をプリンタ本体のみでオリジナルの高い品質を保って再印刷を可能にし、迅速で使い勝手の良い印刷装置を実現する。【解決手段】  印刷される画像情報または画像情報をその一部として含む画像情報の集合とそれに対応付けられた識別データとを対応づけて記憶する印刷データ記憶手段２と、識別データを入力する識別データ入力手段１と、識別データ入力手段１から入力された識別データと印刷データ記憶手段２に記憶された識別データとを比較する識別データ比較手段３と、識別データ比較手段３における比較結果に基づいて、入力された識別データに対応する画像情報または画像情報の集合を印刷データ記憶手段２から取り出す制御手段４と、取り出した画像情報または画像情報の集合を印刷する印刷手段５とを備える印刷装置。【選択図】        図１
2006001154.tif 000002
【特許請求の範囲】
【請求項１】
印刷される画像情報または該画像情報をその一部として含む画像情報の集合とそれに対応付けられた識別データとを対応づけて記憶する印刷データ記憶手段と、識別データを入力する識別データ入力手段と、該識別データ入力手段から入力された識別データと前記印刷データ記憶手段に記憶された識別データとを比較する識別データ比較手段と、該識別データ比較手段における比較結果に基づいて、前記入力された識別データに対応する画像情報または画像情報の集合を前記印刷データ記憶手段から取り出す制御手段と、取り出した画像情報または画像情報の集合を印刷する印刷手段とを備えることを特徴とする印刷装置。
【請求項２】
上記識別データを印刷時に合わせて出力する識別データ出力手段を備える請求項１に記載の印刷装置。
【請求項３】
上記識別データ出力手段は、上記識別データの内容を数値、文字、及び／または図形情報として出力する請求項２に記載の印刷装置。
【請求項４】
上記識別データ出力手段は、印刷出力に使用する紙もしくはそれに相当する媒体に埋めこまれた半導体チップに、上記識別データの内容を電気的情報として記録して出力する請求項２に記載の印刷装置。
【請求項５】
上記識別データ入力手段は、印刷媒体に記録され、かつ、光学的スキャナ装置が読み取った数値、文字、及び／または図形情報から得られた識別データを入力する請求項１に記載の印刷装置。
【請求項６】
上記識別データ入力手段は、キーボードもしくはボタン操作により、上記識別データを入力する請求項１に記載の印刷装置。
【請求項７】
上記識別データ入力手段は、印刷出力に使用した紙もしくはそれに相当する媒体に埋めこまれた半導体チップに電気的情報として記録された識別データを読み取り入力する請求項１に記載の印刷装置。
【請求項８】
上記画像情報の集合のうち特定の一部の画像情報を指定する部分指定情報を入力する部分指定情報入力手段を備えており、上記制御手段は、前記部分指定情報入力手段に入力された部分指定情報に基づき、前記画像情報の集合の中から指定された一部の画像情報を取り出す請求項１に記載の印刷装置。
【請求項９】
上記印刷データ記憶手段は、上記画像情報または画像情報の集合とそれに対応付けられた識別データに加え、それらに対応づけられたパスワードを対応づけて記憶しており、ユーザがパスワードを入力するためのパスワード入力手段と、該パスワード入力手段によりユーザが入力したパスワードと前記印刷データ記憶手段に記憶されたパスワードとを比較するパスワード比較手段とを備えるとともに、上記制御手段は、上記識別データ比較手段における比較結果および前記パスワード比較手段におけるパスワード比較結果に基づいて、前記入力された識別データに対応する上記画像情報または画像情報の集合を前記印刷データ記憶手段から取り出す請求項１に記載の印刷装置。
【発明の詳細な説明】
【技術分野】
【０００１】
本発明は、印刷装置であり、特に電子データを印刷する印刷装置に関する。
【背景技術】
【０００２】
パソコン等で作成した文書をプリンタで印刷、出力して配布するということは日常頻繁に行われている。パソコン等で作成した文書は電子データである。同じ文書が追加で必要になった場合、例えばコピー機などで複写するという方法もあるが、この場合は光学的な画像スキャン・印刷という過程を経る間にノイズ等が混入することが避けられず、元の文書の品質が損なわれる。また更に追加が必要になった場合、コピーした文書をさらにコピーするといった操作を繰り返すと、文書の品質はますます劣化することになる。最も望ましいのは元の文書、すなわち電子データから再度印刷を行うことである。このようにすれば、度重なる追加印刷を行ったとしても、オリジナルの高い品質を保った印刷文書を手に入れることが可能である。
【０００３】
しかしながら、この方法だと再印刷を行う度にパソコンが必要であり、パソコンの起動や印刷に時間がかかる場合が多く、ユーザの使い勝手は決して良くない。こうしたことからプリンタ本体のみで高品質な文書の再印刷が可能であることが求められる。
【０００４】
そのようなシステムとして例えば特許文献１に記載のシステムがある。これは、文書に印刷されるオリジナルの原稿（画像）情報そのものを符号化し、バーコード等の手段を用いて、オリジナル文書の余白もしくは裏面等に記録する。再印刷が必要な場合には記録された符号化情報をスキャナ等で読み取って復号化し、元の原稿（画像）情報を復元するというものである。
【特許文献１】特開２００３−２４４４２４号公報
【発明の開示】
【発明が解決しようとする課題】
【０００５】
上記の特許文献１の場合、プリンタ単体で高品質なオリジナル文書の再印刷が可能である。しかしながら、オリジナル文書の余白や裏面等に、文書の内容そのものを符号化した情報を記録しておく必要があり、その為には相当な大きさのスペースを必要とするという問題がある。また、符号化情報をオリジナル文書の余白等に印刷した場合、符号化情報の存在が目立ってしまい全体として文書の品質（見た目の美しさ）を損なってしまう場合があるという問題がある。
【０００６】
さらに、オリジナル文書が複数のページから成っていた場合に、再印刷の際にその一部分のみ印刷させたいという場合がある。そのような場合に、再印刷するページの範囲を指定することができないと、不要なページまで印刷せざるを得ない為、紙やトナーを無駄遣いしたり、印刷に時間がかかってしまうという問題がある。この点について、従来取り組みがなされていなかった。
【０００７】
またさらに、用途によっては、オリジナル文書の再印刷を誰でも行うことが出来ないように制限をかけたいという場合がある。この点についても、従来取り組みがなされていなかった。
【課題を解決するための手段】
【０００８】
上記課題を解決する為に、本発明の印刷装置においては、印刷される画像情報または該画像情報をその一部として含む画像情報の集合とそれに対応付けられた識別データとを対応づけて記憶する印刷データ記憶手段と、識別データを入力する識別データ入力手段と、該識別データ入力手段から入力された識別データと前記印刷データ記憶手段に記憶された識別データとを比較する識別データ比較手段と、該識別データ比較手段における比較結果に基づいて、前記入力された識別データに対応する画像情報または画像情報の集合を前記印刷データ記憶手段から取り出す制御手段と、取り出した画像情報または画像情報の集合を印刷する印刷手段とを備えることとした。
【０００９】
さらに、上記課題を解決する為に、本発明の印刷装置においては、画像情報の集合のうち特定の一部の画像情報を指定する部分指定情報を入力する部分指定情報入力手段を備えており、上記制御手段は、前記部分指定情報入力手段に入力された部分指定情報に基づき、前記画像情報の集合の中から指定された一部の画像情報を取り出すこととした。
【００１０】
さらに、上記課題を解決する為に、本発明の印刷装置においては、上記印刷データ記憶手段は、上記画像情報または上記画像情報の集合とそれに対応付けられた識別データに加え、それらに対応づけられたパスワードを対応づけて記憶しており、ユーザがパスワードを入力するためのパスワード入力手段と、該パスワード入力手段によりユーザが入力したパスワードと前記印刷データ記憶手段に記憶されたパスワードとを比較するパスワード比較手段とを備えるとともに、上記制御手段は、上記識別データ比較手段における比較結果および前記パスワード比較手段におけるパスワード比較結果に基づいて、前記入力された識別データに対応する上記画像情報または上記画像情報の集合を前記印刷データ記憶手段から取り出すこととした。
【発明の効果】
【００１１】
本発明を用いることにより、パソコン等で作成し印刷した文書を再度追加で印刷する必要が生じた場合、オリジナルの高い品質を保った印刷文書を簡単に手に入れることが可能である。
【００１２】
またその際、プリンタ本体のみで高品質な文書の再印刷が可能であり、迅速で使い勝手の良いシステムを実現することが可能である。
【００１３】
更に本発明を用いることにより、オリジナル文書が複数のページから成っていた場合に必要なページのみ選択的に再印刷させることが可能となり、不要なページまで印刷することによって生じる紙やトナーを無駄遣いや、印刷に時間がかかってしまうという問題を回避することが可能である。
【００１４】
更に本発明を用いることにより、必要に応じ、オリジナル文書の再印刷を誰でも行うことが出来ないように制限をかけることが可能になり、セキュリティ上そのような処置が必要な場合の要求に応えることが可能となる。
【発明を実施するための最良の形態】
【００１５】
本発明を実施するための最良の形態を説明する。
以下本発明の印刷装置の実施例について、図面を用いて説明する。
【実施例１】
【００１６】
第１の実施例を説明する。まず、通常の印刷時の動作について説明する。パソコン等のホストコンピュータで作成された文書や図面等の電子データは、ホストコンピュータ内のプリンタドライバでプリンタ用の印刷データに変換処理される。この印刷データは、本実施例の印刷装置であるプリンタ側で形成すべき画像情報を含んでおり、プリンタ内での処理に適したデータ形式になっている。生成された印刷データはプリンタ側へ送られる。
【００１７】
図１は実施例１のプリンタのブロック図である。本実施例のプリンタは、識別データ入力部１、印刷データ記憶部２、識別データ比較部３、制御部４、印刷エンジン５、識別データ出力部６、印刷データ受信部１２を備えている。プリンタ内の印刷データ受信部１２において、ホストコンピュータから送られた上記印刷データを受信する。印刷データ受信部１２で受信した印刷データは、画像情報として制御部４に送られる。制御部４では、入力された画像情報を処理し、印刷エンジン５にデータおよび制御情報を送ってページ単位で印刷を行わせる。印刷エンジン５は、制御部４から送られたデータ及び制御情報に基づき、ページ単位で印刷を行って、印刷結果を出力する。
【００１８】
本実施例のプリンタにおいて、文書の印刷時に識別データを合わせて印刷する場合の手順の一例について、図２（ａ）のフローチャートを用いて説明する。まず、スタート（Ｓ１００）し、印刷データを受信する（Ｓ１０１）。受信した印刷データは、画像情報として制御部４に送られ、制御部４からの指示に基づき、識別データ出力部６が、文書に出力する識別データを生成し（Ｓ１０２）、印刷エンジン５に送信する。印刷エンジン５は、元の画像情報データおよび識別データ出力部６から送られた識別データを合わせて印刷する（Ｓ１０３）。
【００１９】
図３は、識別データ付きで印刷された文書８の一例である。この例では、文書の余白部分である右下隅に、識別データ９が印刷されている。なおここでは、識別データとして英字および数字等から構成される文字情報が用いられている。
【００２０】
さらにこの場合、識別データおよび画像データの登録も同時に行われる。制御部４の指示に基づき、印刷に使用された識別データは、識別データ出力部６から印刷データ記憶部２に送られる。また、印刷に使用された画像情報も、印刷データ受信部１２から印刷データ記憶部２に送られる。印刷データ記憶部２では、制御部４からの指示に基づき、識別データ出力部６から送られた識別データと、印刷データ受信部１２から入力された画像情報とを関連付けて、内部に記憶し（Ｓ１０４）、終了となる（Ｓ１０５）。
【００２１】
図４は、印刷データ記憶部２の内部データ構造を模式的に示した一例の説明図である。識別データとそれに対応する画像情報データが、互いに関連付けられて記憶されている。
【００２２】
次に、識別データ付きで印刷された文書を用いて文書の再印刷を行う場合の手順の一例について、図２（ｂ）のフローチャートを用いて説明する。まず、スタート（Ｓ１１０）し、図３に示した文書８のように識別データ付きで印刷された文書の識別データ９の部分を、識別データ入力部１の内部に設けた光学スキャナを用いて読み取って入力し（Ｓ１１１）、識別データを認識する。認識された識別データ（入力識別データ）は、識別データ比較部３に送られる。識別データ比較部３は、識別データ入力部１から入力された入力識別データと、印刷データ記憶部２内部に記憶している識別データ（記憶識別データ）とを順次比較し、一致の有無を判断する（Ｓ１１２）。一致する識別データが見つかった場合には、比較データ比較部３はその結果を制御部４に伝え、制御部４は、識別データ比較部３からの比較結果に基づき、識別データの一致するものがあった場合には、印刷データ記憶部２に対し、該当する識別データの画像情報を出力するように指示を出す。印刷データ記憶部２は、制御部４からの上記指示に基づき、指定された識別データに対応する画像情報を制御部４に出力する（Ｓ１１３）。制御部４は、印刷データ記憶部２から出力された画像情報を処理し、印刷エンジン５にデータおよび制御情報を送ってページ単位で印刷を行わせる。印刷エンジン５は、制御部４から送られたデータ及び制御情報に基づき、ページ単位で再印刷を行って、印刷結果を出力し（Ｓ１１４）、終了となる（Ｓ１１５）。識別データの一致するものがない場合は終了となる（Ｓ１１５）。
【００２３】
以上説明したように、本実施例のプリンタを用いることにより、一度印刷した文書を再度追加で印刷する必要が生じた場合、オリジナルの高い品質を保った印刷文書を簡単に手に入れることが可能である。またその際、プリンタ本体のみで高品質な文書の再印刷が可能であり、迅速で使い勝手の良いシステムを実現することが可能である。
【００２４】
なお、上記の実施例では、識別データ入力部１の内部に光学スキャナを設け、再印刷の際の識別データ９の読み取りを行う例を示したが、その代わりに、識別データ入力部１に機械的な押しボタンもしくはＧＵＩ（グラフィカルユーザインターフェイス）を用いたソフトウエア的な入力手段を設けておき、ユーザが識別データを入力するようにしてもよい。この場合、入力する識別データさえ分かっていれば、オリジナルの印刷文書そのものが無くても再印刷が可能という効果もある。
【００２５】
また、上記の実施例では、図３に示したように識別データ９が文字データである例を示したが、それに限定されるものでは無く、例えば図５（ａ）に示した１次元バーコードや図５（ｂ）の２次元バーコードの類のもの、あるいはその他の図形データを用いても良い。その場合、適切なコードを選択することによって、識別データ入力部１で光学的スキャナを用いた読み取り、認識の確実性を向上させることも可能である。
【００２６】
また、図４で示した識別データと画像情報データとの対応において、各画像情報データは単一ページの情報を示すのみならず、複数ページからなる文書の場合は、複数ページ分もしくは文書全体の情報を含んだ画像情報データとして、単一の識別データと対応させるようにしても良い。この場合は、再印刷に際して識別データを１つ入力することにより複数ページ分もしくは文書全体を再印刷させることが可能であり、ユーザの利便性が向上する。
【実施例２】
【００２７】
第２の実施例を説明する。実施例１と同様の部分については説明を省略する。本実施例の特徴は、識別データの記録、認識に半導体チップを使用することである。近年、ミューチップ（登録商標）あるいは無線ＩＣタグのように、商品やラベル等に埋め込み、流通の管理等に利用できる数百μｍ四方の微小半導体チップが利用可能になってきている。このような半導体チップをあらかじめ埋め込んだ紙を印刷媒体に使用する。
【００２８】
まず、オリジナル文書の印刷時に、識別データを合わせて出力する場合について以下に説明する。この場合は、制御部４からの指示に基づき、識別データ出力部６が、文書に出力する識別データを生成し、印刷エンジン５に送信する。印刷エンジン５には、半導体チップへのデータ書き込みを行う書き込み装置が設けられている。印刷エンジン５は、元の画像情報データを印刷するとともに、識別データ出力部６から送られた情報にしたがって印刷媒体に埋め込まれた半導体チップに識別データを書き込み、出力する。さらに実施例１と同様に、上記に際して、印刷データ記憶部２において識別データおよび画像データの登録も同時に行われる。
【００２９】
次に、識別データ付きで印刷された文書を用いて文書の再印刷を行う場合について説明する。本実施例においては、識別データ入力部１に半導体チップからのデータ読み取りを行う読み取り装置が設けられている。印刷された文書に埋め込まれた半導体チップに記録された識別データの内容を識別データ入力部１に設けた読取装置で読み取り、識別データを認識する。認識された識別データ（入力識別データ）は、識別データ比較部３に送られる。以下、実施例１と同様の過程を経て、印刷エンジン５から印刷結果が出力される。
【００３０】
以上説明したように、本実施例により、実施例１と同様、一度印刷した文書を再度追加で印刷する必要が生じた場合、オリジナルの高い品質を保った印刷文書を簡単に手に入れることが可能である。またその際、プリンタ本体のみで高品質な文書の再印刷が可能であり、迅速で使い勝手の良いシステムを実現することが可能である。
【００３１】
それに加えて、印刷媒体に埋め込まれた半導体チップに識別データを記録することにより識別データを余白等に印刷する必要が無いため、本文の印刷領域を最大限に確保でき、また見た目にも美しいという効果もある。
【実施例３】
【００３２】
次に、第３の実施例について説明する。実施例１と同様の部分については説明を省略する。本実施例の特徴は、識別データを記録する為に、印刷する媒体に穴を空けるということである。
【００３３】
まず、オリジナル文書の印刷時に、識別データを合わせて出力する場合について以下に説明する。この場合は、制御部４からの指示に基づき、識別データ出力部６が、文書に出力する識別データを生成し、印刷エンジン５に送信する。印刷エンジン５には、印刷する媒体に穴を空けるパンチ装置が設けられている。印刷エンジン５は、元の画像情報データを印刷するとともに、図６（ａ）に示すように識別データ出力部６から送られた情報にしたがって印刷する媒体８に識別データに応じてコード化された穴１０ａを空け、出力する。さらに実施例１と同様に、上記に際して、印刷データ記憶部２において識別データおよび画像データの登録も同時に行われる。
【００３４】
次に、識別データ付きで印刷された文書を用いて文書の再印刷を行う場合について説明する。本実施例においては、識別データ入力部１に識別データに応じてコード化された穴を読み取る読み取り装置が設けられている。印刷された文書に空けられた穴１０ａを識別データ入力部１に設けた読取装置で読み取り、識別データを認識する。認識された識別データ（入力識別データ）は、識別データ比較部３に送られる。以下、実施例１と同様の過程を経て、印刷エンジン５から印刷結果が出力される。
【００３５】
以上説明したように、本実施例により、実施例１と同様、一度印刷した文書を再度追加で印刷する必要が生じた場合、オリジナルの高い品質を保った印刷文書を簡単に手に入れることが可能である。またその際、プリンタ本体のみで高品質な文書の再印刷が可能であり、迅速で使い勝手の良いシステムを実現することが可能である。
【００３６】
なお、本実施例においては図６（ａ）に示したように識別データに対応してコード化された穴１０ａを空ける例を示したが、その他にも例えば図６（ｂ）に示すように切り欠きを設けるようにしても同様の効果を達成することが可能である。
【実施例４】
【００３７】
次に、第４の実施例について説明する。実施例３と同様の部分については説明を省略する。本実施例の特徴は、印刷する媒体に識別データを点字データとして記録するということである。
【００３８】
本実施例においては、印刷エンジン５には、印刷する媒体に点字データを記録する打点装置を設けておく。さらに、識別データ入力部１には、打点された点字を読み取る読み取り装置を設けておく。その他の動作の流れは、実施例３に示したものとほぼ同様である。このようにして、本実施例により、実施例３と同様、一度印刷した文書を再度追加で印刷する必要が生じた場合、オリジナルの高い品質を保った印刷文書を簡単に手に入れることが可能である。またその際、プリンタ本体のみで高品質な文書の再印刷が可能であり、迅速で使い勝手の良いシステムを実現することが可能である。
【実施例５】
【００３９】
次に、第５の実施例について説明する。実施例３と同様の部分については説明を省略する。本実施例の特徴は、図７に示すように、印刷する媒体８にあらかじめ磁性体１１を塗布しておき、この磁性体１１に識別データの記録を行うということである。
【００４０】
本実施例においては、印刷エンジン５には、印刷する媒体に識別データを磁気情報として記録する記録装置を設けておく。さらに、識別データ入力部１には、磁気情報として記録された識別データ情報を読み取る読み取り装置を設けておく。その他の動作の流れは、実施例３に示したものとほぼ同様である。このようにして、本実施例により、実施例３と同様、一度印刷した文書を再度追加で印刷する必要が生じた場合、オリジナルの高い品質を保った印刷文書を簡単に手に入れることが可能である。またその際、プリンタ本体のみで高品質な文書の再印刷が可能であり、迅速で使い勝手の良いシステムを実現することが可能である。
【実施例６】
【００４１】
次に、第６の実施例について説明する。実施例１と同様の部分については説明を省略する。図８は、本実施例のプリンタのブロック図である。本実施例の特徴は、印刷範囲入力部７を設けたことである。実施例１で説明したように、単一の識別データが複数ページ分もしくは文書全体の情報を含んだ画像情報データに対応付けられている場合がある。このような状況において、識別データ付きで印刷された文書の再印刷を行う場合に、識別データに対応する複数ページの画像情報のうち、実際に再印刷したい範囲を印刷範囲入力部７から入力する。ここで、印刷範囲入力部７は、機械的な押しボタンもしくはＧＵＩ（グラフィカルユーザインターフェイス）を用いたソフトウエア的な入力手段を用いることが可能である。
【００４２】
通常の印刷の場合、および文書の印刷時に識別データを合わせて印刷する場合については実施例１と同様である（図９（ａ）参照、Ｓ２００〜Ｓ２０５）。
【００４３】
次に、識別データ付きで印刷された文書を用いて文書の再印刷を行う場合の手順の一例について、図９（ｂ）を用いて説明する。まず、スタート（Ｓ２１０）し、識別データ付きで印刷された文書の識別データ９の部分を読み取って入力し（Ｓ２１１）、識別データを認識し、また、印刷範囲情報が入力される（Ｓ２１２）。印刷範囲入力部７に入力された印刷範囲情報は、制御部４に送られる。制御部４では、該印刷範囲情報に基づき、印刷データ記憶部２から送られてきた複数ページ分の画像情報のうち、該印刷範囲情報によって指定された範囲の画像情報のみ選択的に取り出し、印刷エンジン５に送る。その他は実施例１に示したのと同様により、印刷エンジン５から印刷結果が出力される（Ｓ２１３〜Ｓ２１６）。
【００４４】
このように、本実施例によれば、実施例１に示した効果に加えて、オリジナル文書が複数のページから成っていた場合に必要なページのみ選択的に再印刷させることが可能となり、不要なページまで印刷することによって生じる紙やトナーを無駄遣いや、印刷に時間がかかってしまうという問題を回避することが可能である。
【実施例７】
【００４５】
次に、第７の実施例について説明する。実施例１と同様の部分については説明を省略する。図１０は、本実施例のプリンタのブロック図である。本実施例の特徴は、パスワード入力部１３およびパスワード比較部１４を設けたことである。さらに、図１１に示すように、印刷データ記憶部２には、各識別データとそれに対応する画像情報データに加え、パスワードが関連付けられて記憶されている。
【００４６】
通常の印刷の場合、および文書の印刷時に識別データを合わせて印刷する場合については実施例１と同様である（Ｓ３００〜Ｓ３０５）。なお、パスワードは、印刷データとともに受信される（Ｓ３０１）が、印刷データ記憶部２に事前に記憶しておくことも可能である。
【００４７】
次に、識別データ付きで印刷された文書を用いて文書の再印刷を行う場合の手順の一例について説明する。まず、スタートし（Ｓ３１０）、実施例１で説明したように、識別データ９を、識別データ入力部１によって読み取る（Ｓ３１１）。それと共に、パスワード入力部１３に設けた機械的な押しボタンもしくはＧＵＩ（グラフィカルユーザインターフェイス）を用いたソフトウエア的な入力手段を用いて、ユーザがパスワードを入力する（Ｓ３１２）。入力識別データと記憶識別データが一致するかが判断される（Ｓ３１３）。また、入力されたパスワード（入力パスワード）はパスワード比較部１４に送られる。パスワード比較部１４は、パスワード入力部１３から入力された入力パスワードと、印刷データ記憶部２から出力された識別データに対応するパスワードを比較する。パスワード比較部１４は、比較結果を制御部４に伝える。制御部４は、識別データ比較部３からの識別データ比較結果およびパスワード比較部１４からのパスワード比較結果に基づき、識別データおよびパスワードの両者が一致した場合には、印刷データ記憶部２に対し、該当する識別データの画像情報を出力するように指示を出す。その他は第１の実施例に示したのと同様により、印刷エンジン５から印刷結果が出力される（Ｓ３１４〜Ｓ３１７）。識別データとパスワードの一方が一致しない場合には終了となる（Ｓ３１７）。
【００４８】
このように、本実施例によれば、実施例１に示した効果に加えて、必要に応じてパスワードを用いることにより、オリジナル文書の再印刷を誰でも行うことが出来ないように制限をかけることが可能になり、セキュリティ上そのような処置が必要な場合の要求に応えることが可能となる。
【００４９】
なお、上記実施例における識別データは、印刷の属性情報、例えば作成者、作成日、印刷日等として利用することも可能である。
【図面の簡単な説明】
【００５０】
【図１】実施例１のプリンタのブロック説明図。
【図２】実施例１における印刷及び再印刷の手順の一例のフローチャートの説明図。
【図３】実施例１における識別データ付きで印刷された文書の例の説明図。
【図４】実施例１のプリンタの印刷データ記憶部の内部データ構造の一例の説明図。
【図５】実施例１における識別データの一例の説明図。
【図６】実施例３における識別データ付きで印刷された文書の一例の説明図。
【図７】実施例５における識別データ付きで印刷された文書の一例の説明図。
【図８】実施例６のプリンタのブロック説明図。
【図９】実施例６における印刷及び再印刷の手順の一例のフローチャートの説明図。
【図１０】実施例７のプリンタのブロック説明図。
【図１１】実施例７のプリンタの印刷データ記憶部２の内部データ構造の一例の説明図。
【図１２】実施例７における印刷及び再印刷の手順の一例のフローチャートの説明図。
【符号の説明】
【００５１】
１  識別データ入力部
２  印刷データ記憶部
３  識別データ比較部
４  制御部
５  印刷エンジン
６  識別データ出力部
７  印刷範囲入力部
８  印刷された文書
９  識別データ
１０ａ  識別データ
１０ｂ  識別データ
１１  識別データ
１２  印刷データ受信部
１３  パスワード入力部
１４  パスワード比較部
【図１】
2006001154.tif 000003
【図２】
2006001154.tif 000004
【図３】
2006001154.tif 000005
【図４】
2006001154.tif 000006
【図５】
2006001154.tif 000007
【図６】
2006001154.tif 000008
【図７】
2006001154.tif 000009
【図８】
2006001154.tif 000010
【図９】
2006001154.tif 000011
【図１０】
2006001154.tif 000012
【図１１】
2006001154.tif 000013
【図１２】
2006001154.tif 000014